(57)【要約】【課題】  充分な遠赤外線輻射効果及びマイナスイオン・静電気効果を発揮すると共に、発汗・老廃物排出・血行等の促進、細胞の活性化等の作用により顔肌自体を効果的に活性化させることができ、しかも貼付部位への高い密着性を有するトリートメントマスク及びパッドとその製造方法を提供する。【解決手段】  人の顔面の全面あるいは一部の形状に合わせ成形されたシリコンゴム基材製のマスクベース中に、トルマリンの微粉末を分散して含有させると共に、天然に産出する温泉成分の結晶である温泉鉱泥を含有させる。温泉成分の結晶である温泉鉱泥を水で溶かし、酸化鉄成分と混合して練成した後に焼成する工程と、該工程により得られた物質を粉砕し、これに必要な添加剤を加えたものをシリコンゴム液中に分散する工程と、該工程により得られた物質に空気を封入しながら攪拌混合を行う工程と、攪拌した物質を成形・加熱しゲル化させる工程とを行う。【選択図】  図１
2005168587.tif 000002
【特許請求の範囲】
【請求項１】
シリコンゴム基材製のシートベース中に、トルマリンの粉末を分散して含有させると共に、天然に産出する温泉成分の結晶である温泉鉱泥を含むことを特徴とする美顔用トリートメントマスク及びアイパッド
【請求項２】
前記温泉鉱泥が硫化物を含むものであることを特徴とする請求項１記載の美顔用トリートメントマスク及びアイパッド
【請求項３】
前記温泉鉱泥が、明礬を含むものであることを特徴とする請求項１記載の美顔用トリートメントマスク及びアイパッド
【請求項４】
温泉成分の結晶である温泉鉱泥を水で溶かし、酸化鉄成分と混合して練成した後に焼成する工程と、該工程により得られた物質を粉砕し、これに必要な添加剤を加えたものをシリコンゴム液中に分散する工程と、該工程により得られた物質に空気を封入しながら攪拌を行う工程と、攪拌した物質を成形・加熱しゲル化させる工程を有することを特徴とする美顔用トリートメントマスク及びアイパッドの製造方法。
【請求項５】
前記酸化鉄成分として化粧品材料基準に記載されているベンガラをセラミック化して用いることを特徴とする請求項４記載の美顔用トリートメントマスク及びアイパッドの製造方法。
【請求項６】
前記温泉鉱泥として硫化物を含むものを用いることを特徴とする請求項４又は請求項５記載の美顔用トリートメントマスク及びアイパッドの製造方法。
【請求項７】
前記温泉鉱泥として明礬を含むものを用いることを特徴とする請求項４乃至請求項６のいずれかに記載の美顔用トリートメントマスク及びアイパッドの製造方法。
【請求項８】
前記焼成工程において、砒素を除去することを特徴とする請求項４乃至請求項７のいずれかに記載の美顔用トリートメントマスク及びアイパッドの製造方法。
【請求項９】
前記焼成工程における焼成の対象となる混合物が、前記温泉鉱泥、酸化鉄成分に加えて、化粧品原材料基準に記載されているカオリンを含むことを特徴とする請求項４乃至請求項８のいずれかに記載の美顔用トリートメントマスク及びアイパッドの製造方法。
【請求項１０】
前記シリコンゴム液中への分散工程における分散の対象となる混合物が、前記温泉鉱泥・酸化鉄成分に加えて、カーボン粉末を含むことを特徴とする請求項４乃至請求項９のいずれかに記載の美顔用トリートメントマスク及びアイパッドの製造方法。
【発明の詳細な説明】
【技術分野】
【０００１】
本発明は、人の顔全面あるいは一部に被せて使用する美顔用トリートメントマスクやアイパッドに関し、とくにマスクやパッド内に温泉鉱泥やトルマリンを混入し、遠赤外線効果・マイナスイオン効果等を発揮するようにした美顔用トリートメントマスク及びアイパッドとその製造方法に関するものである。
【背景技術】
【０００２】
従来の美顔方法として、例えば、顔面に美溶液等を塗布したり、パック剤を塗布してパックする方法等がある。しかしながら、美溶液は、その有効成分のほとんどが皮膚内部まで浸透することがなく、さほど高い美顔効果は期待できない。また、パック剤は皮膚表面の汚れは除去できるものの皮膚自体を活性化させるような高い美顔効果は期待できない。そこで、美顔用具として、例えば、次のような先行技術がある。二層構造の顔面用マスク体であって、一層目には遠赤外線を放射するセラミックを含んだ綿布部材を、二層目にはマグネット成分を含んだラバー部材を配置する構成のもの（特許文献１参照。）。スズ板又はアルミニューム板の非鉄金属材からなる成形体を用いた顔面パックであって、遠赤外線波が利用された遠赤外線応用顔面パック（特許文献２参照。）。人の顔面にフィットするベースと、このベースに設けられた人の顔面を覆う磁気体面を備えた美顔用の顔面マスク（特許文献３参照。）。
【０００３】
【特許文献１】実用新案登録第３０１３３９３号公報（第２頁−第３頁、図１）
【特許文献２】実開平７−２７４１１号公報（第２頁−第３頁、図１−図３）
【特許文献３】特開２０００−１４８０７号公報（第２頁−第３頁、図５）
【発明の開示】
【発明が解決しようとする課題】
【０００４】
これらは、何れも美顔用のマスクであり、顔面に装着するだけで美容効果があることを謳っているものの、例えば、遠赤外線を放射するセラミックを含んだものでは、十分な遠赤外線輻射効果が得られないばかりか、それ以外の特段の美容効果も得られないものであった。
本発明は、上記のような従来技術の課題に鑑み、より充分な遠赤外線輻射効果及びマイナスイオン効果を発揮すると共に、顔肌自体を効果的に活性化させることができ、しかも貼付部位への高い密着性を有する美顔用トリートメントマスク及びアイパッドとその製造方法を提供することを目的とする。
【課題を解決するための手段】
【０００５】
そこで本発明は、人の顔面の全面あるいは一部の形状に合わせ成形されたシリコンゴム基材製のマスクベース中に、トルマリンの粉末を分散して含有させると共に、天然に産出する温泉成分の結晶である温泉鉱泥を含むことを特徴とする美顔用トリートメントマスク及びアイパッド、および、温泉成分の結晶である温泉鉱泥を水で溶かし、酸化鉄成分と混合して練成した後に焼成する工程と、該工程により得られた物質を粉砕し、これに必要な添加剤を加えたものをシリコンゴム液中に分散する工程と、該工程により得られた物質に空気を封入しながら攪拌混合を行う工程と、攪拌した物質を成形・加熱しゲル化させる工程を有することを特徴とする美顔用トリートメントマスク及びアイパッドの製造方法によって達成される。
【発明の効果】
【０００６】
本発明の美顔用トリートメントマスク及びアイパッドは、充分な遠赤外線輻射効果及びマイナスイオン効果を発揮することにより、発汗・老廃物排出・血行等の促進、細胞の活性化等の作用が得られ、良好な美顔効果を得ることができる。
【発明を実施するための最良の形態】
【０００７】
次に、本発明の実施の形態を図面に示す実施例に基づいて説明する。
図１は本発明に係る美顔用トリートメントマスクを模式的に示す斜視図、図２は本発明に係るアイパッドを人の顔面に装着した状態を示す斜視図である。
【実施例】
【０００８】
本発明に係る美顔用トリートメントパック及びアイパッドの製造方法の概要は以下のとおりである。
まず、上述の温泉鉱泥と酸化第二鉄（Ｆｅ２Ｏ３）セラミック粉体、カオリナイトを混合し、よく練り合せ、一定温度に加熱した後、粉砕する。こうして得られた第二次的鉱泥セラミックに、更に炭素成分及びトルマリン等（遠赤外線・マイナスイオンを発生させ一般に電気石と称される鉱石）の微粉末を加えてシリコンゴム基材中に空気を含有させつつ攪拌して均一に分散させ、この混合物をシートに成形して表面の脱泡作業を行った後、加熱してゲル化させる。
これにより、酸化鉄セラミックの持つ遠赤外線放射及びトルマリン等の遠赤外線放射・マイナスイオン発生効果と共に、温泉鉱泥から生ずる温泉効果を利用して、人体における血行を高め、新陳代謝を活発化させることにより、美容効果をもたらすシートが得られるものである。
【０００９】
以下、詳細に説明する。
前述の如く、大分県別府市の山間部は、温泉の噴気（ガス）が自噴している。このガスを導いて、均等に敷き詰めた栗石の間を通すと、ガスはその圧力により上記栗石の間を上昇する。この栗石の上方に、この地方特有のモンモリロナイトを主体とする「青粘度」を作用させると、ガスは粘土中の粒子の間を毛細管現象によりゆるやかに上昇する。そして、この上昇の間に、ガスの主成分である硫気ガス（ＳＯ２）の一部は硫酸に変わる。さらに、この硫酸が下方からの圧力により上昇する間に、粘土中のアルミニウムや鉄等の鉱物質を溶解しつつ表面に至る。表面では、水分は蒸発し、金属硫化物を多量に含んだ硫酸礬土が結晶状態で得られる。この結晶を外気から守るため、例えば、藁屋根のサシカケ小屋が用いられる。
【００１０】
上述のごとく、粘土に温泉ガスを作用させて３０〜６０日程度が経過すると、硫酸礬土は粘土の表面上５〜６ｃｍ程度に成長する。これを適宜の道具で掻き取り原料とする。尚、青粘土は、２〜３回の使用が限度であり交換する必要がある。硫酸礬土の収穫作業は粘土を交換しては繰り返される。
上述のごとき作業により得られた硫酸礬土を、ほぼ同量の温泉水中に分散させ、混合・攪拌した上で、鉱泥を沈澱させ、濾過して、１００〜１２０メッシュ程度の温泉鉱泥を得る。この温泉鉱泥の成分は、おおよそ以下のとおりである。
水分                        ４４％
固形分                      ５６％
また、固形分の内訳は、例えば、以下のとおりである。
鉄分                        ３８．１１％
アルミニウム                １３．２５％
硫酸                          ６．２８％
【００１１】
微量金属等の含有量については、例えば、以下のとおりである。
ゲルマニウム                ９７．９３ｐｐｍ
銅                          ２３．５３ｐｐｍ
マンガン                  １０４．６２ｐｐｍ
金                            ６．３８ｐｐｍ
亜鉛                        ７０．５９ｐｐｍ
砒素                        ５８．４６ｐｐｍ
鉛                          ２５．２６ｐｐｍ
尚、上述のごとき成分を含有する温泉鉱泥を約１０００倍の水に分散させて入浴に用いれば、皮膚障害及び血行の促進等の効能を有するものである。
【００１２】
本題に戻って、本実施例に係る美顔用トリートメントパック及びアイパッドの製造方法は、以下のとおりである。尚、以下の説明では、１製造単位としての５５０ｍｍ×１３００ｍｍサイズのシート１枚を製造する際のスケールで説明する。
まず、別途用意した、１０００℃程度の高温中に３時間置きセラミック化した、化粧品原材料基準に記載されているベンガラ（主成分は三二酸化鉄）と、同じく化粧品原材料基準に記載されているカオリン（含珪酸アルミニウム）とを、上述のごとき成分を含有する温泉鉱泥を水で溶かしたものとをほぼ同量ずつ混合し、よく練り合わせた後、自然乾燥させる。
その後、上記混合物を約５３０℃程度の温度で３時間焼成する。この工程を経ることにより、上記鉱泥中に含まれていた砒素の量を健康基準に規定される１ｍｇ／ｋｇ以下とすることができる。こうして得られた物質（以下、温泉鉱泥セラミックという）を粉砕して１２０メッシュ以上の微粉末とする。
【００１３】
さらに、上述の微粉末化した温泉鉱泥セラミック１０ｇと、トルマリン等の微粉末５ｇ、カーボン粉末５ｇを加えて練成し、これに更に、二液型ゴムシリコン用希釈剤３０ｇ及び硬化剤２５ｇを加え、鉱泥セラミックを加えた２５ｇの希釈剤を加えて適度の濃度に調整する。その後、本品の主剤となるゴムシリコンを２５０ｇ投入し、全体を均一に混合する。尚、ここでいう二液型ゴムシリコンとは、主剤と硬化剤を混合し、加熱し硬化させるタイプのシリコン剤であり、例えば、信越化学工業株式会社製でＫＥ・ＫＦシリーズとして製品化されているもの等がある。
混合に際しては、原料中のトルマリン等のいわゆる電気石のマイナスイオンを効果的に発生させるため、これらの鉱石の微粉末同士の間に空気の微小な間隙を生じさせるよう空気を加圧封入しつつ３分から５分程度攪拌を行う。原料の攪拌時に空気を加圧封入することにより、他の粒子と非接触状態、すなわち空間的に相離間したトルマリン等の粒子数が増加し、トルマリン等の粒子に存するプラス極とマイナス極の総数が増加する。これにより、トルマリン粒子のプラス極部分に周囲のマイナスイオンが多数集まり、マイナスイオン帯電量が増大する事になる。つまり、トルマリン等の粒子間に働く静電気的相互作用が増大することから、マイナスイオン効果が高まることとなる。
こうして混合された原料を約１０分間程度寝かせた後、シート成形用の型に流し込み、シート表面に浮かび出てくる大き目の気泡の脱泡作業を行う。この脱泡作業は、気泡残留によるシートの破損を防ぐため、ドライヤー等でシート表面に風を送り、風圧を加えて気泡を潰すという強制脱泡により行われ、これによりシートの表面が滑らかに整えられる。その後シートを１３０℃で２０分間加熱しゲル化させた後型からはずし、夫々の用途に応じた形状に整えて美顔用トリートメントパック及びアイパッドを得る。
尚、本実施例ではシート原料に炭素成分を加えているが、炭素成分を加えずに製造しても良い。
【００１４】
本発明に係る美顔用トリートメントパック及びアイパッドには、温泉鉱泥セラミック成分が高濃度に分布している。
尚、シリコンゴムについては、通常、硫化物を含んだものの硬化は困難とされているが、本発明に係る美顔用トリートメントパック及びアイパッドの製造方法においては、接着用シリコンと非接着用シリコンの混合及び加熱条件を１１０℃から１６０℃で２５分間乃至１７分間程度加熱するよう工夫したことにより、前述のごとき内容物を含む二液型ゴムシリコンの硬化に成功したものである。
【００１５】
また、ここで得られた製品については、上述の接着用シリコンと非接着用シリコンの混合及び加熱条件の工夫により、柔軟性に富み、人の皮膚に適度になじみ易く、不用意に剥がれ落ちることがないという物理的特徴を有する。さらに、ここで得られた製品については、独特の臭気により、温泉鉱泥中に含有されていた硫化物が、シリコンゴム成形品の微細な孔を通して滲み出ることが確認できる。また、本製品を、ｐＨ７の水道水に浸すと４時間経過程度でｐＨが０．１〜０．１５程、酸性側に動くことからもこれが裏付けられる。また、これらの製品の自然放置状態での帯電量は３キロボルトから５キロボルトであることが実験により確認されている。
【００１６】
また、上述の製品１ｃｍ２当りの温泉鉱泥、ベンガラ及びカーボン含有量は、それぞれ、０．００１５ｇ、０．０００７ｇ及び０．０００７ｇとなっている。この数値は、前述の温泉鉱泥２０ｇを２００リットルの水に溶解した場合に比較して、約１０倍の濃度になる計算であり、シリコンゴム中に封入されているとはいえ、その温泉効果が充分に期待できる。
これにより、本発明に係る美顔用トリートメントパック及びアイパッドは、遠赤外線放射効果に加えて、炭素成分がこの効果を増加させ、トルマリンによる電気的刺激がこれに加わると共に、さらに、温泉鉱泥中の温泉成分が皮膚を刺激して血行・保湿効果を促進するという相乗作用的な効果を生ずるものである。
美顔用トリートメントパック本体は、シリコンゴムやウレタン等の可撓性を有する材料で顔面形状に合わせて成形されている。美顔用トリートメントパック本体にシリコンゴムやウレタン等の材料を使用すると、顔面に装着したときにパック内面のほぼ全面が顔肌に密着するようになる。このパックは、目、口等が対応する位置にそれぞれ開口を形成すると良い。また、このパックは顔面の大きさや形状（個人差）に応じて数種類の大きさ・形状のものを形成することができる。
トリートメントパック本体は、シリコンゴムやウレタン等の可撓性を有する材料で、顔面の形状に合せて形成されている。このように、マスク本体にシリコンゴムやウレタン等の材料を使用すると、顔面に装着したときにマスク内面のほぼ全面が顔肌に密着するようになり、フィット感が良好となる。
【産業上の利用可能性】
【００１７】
本発明は、皮膚密着性が良好で誰でも短時間のうちに場所を選ばず手軽に保湿・トリートメント効果及び遠赤外線・マイナスイオン効果の高い美顔パックが行えるため、高価な美容用機械器具や特別な技術を用いることなく、しかも使用後に顔面の洗浄を行ったりパックの剥離に手間をかける事もないので、美顔用トリートメントマスク及びアイパッドとして、エステティックサロンや美容院で美顔施術に用いられるほか、一般家庭等の広汎な需要者層を期待することができる。
【図面の簡単な説明】
【００１８】
【図１】本発明に係る美顔用トリートメントマスクを模式的に示す斜視図である。
【図２】本発明に係るアイパッドを人の顔面に装着した状態を示す斜視図である。
【符号の説明】
【００１９】
１    美顔用トリートメントマスク
２    アイパッド
【図１】
2005168587.tif 000003
【図２】
2005168587.tif 000004